(57)【特許請求の範囲】
【請求項１】
一枚の片体がその中間部から折り畳まれ重ね合わされる一対の半部と、
前記一対の半部の一方の半部に切れ線により縁どられた二つの係止片とを備え、
各係止片は前記一方の半部に連設する基部と、基部に繋がる本体部とで構成され、
各係止片の基部は、コンパクトディスクの中央孔と同一寸法の円内で互いに対向して配置され、それぞれコンパクトディスクの中央孔の半径よりも大きく直径よりも小さい幅で形成され、
各本体部は対応する基部から互いに逆向きで前記円の半径方向外側に突出し、各本体部の少なくとも一部はコンパクトディスクの中央孔の直径よりも大きい幅で形成され、
各係止片をコンパクトディスクの中央孔に挿入し、一対の半部を折り畳み重ね合わせた状態で、各半部はコンパクトディスクを覆う輪郭でそれぞれ形成され、
各係止片がコンパクトディスクの中央孔に挿入された状態で、各係止片の基部がコンパクトディスクの中央孔の対向する箇所に位置し、各本体部が前記切れ線により前記一方の半部に縁取られた向きと同じ向きで互いに逆向きにコンパクトディスクの中央孔近傍の表面を延在することでコンパクトディスクが前記一方の半部に保持される、
ことを特徴とするコンパクトディスク収納体。
【請求項２】
前記本体部を縁どる切れ線の内側空間は指が入る程度の大きさで形成されている請求項１記載のコンパクトディスク収納体。
【請求項３】
前記係止片がコンパクトディスクの中央孔に挿入され、このコンパクトディスクを挟むように一対の半部を折り畳み重ね合わせた状態で、前記コンパクトディスクの外側の半部箇所には、一対の半部を重ね合わせた状態に保持する保持手段が設けられている請求項１記載のコンパクトディスク収納体。
【請求項４】
前記保持手段は、一対の半部のうちの一方の半部に形成された切り欠きと、前記重ね合わされる面とは反対の面に前記切り欠きを覆うように接着された粘着テープとで構成されている請求項３記載のコンパクトディスク収納体。
【請求項５】
前記保持手段は、一対の半部のうちの一方の半部に形成された爪片と、他方の半部に形成され前記爪片が係止される係止部とで構成されている請求項３記載のコンパクトディスク収納体。
【請求項６】
前記一対の半部の一方或いは他方には、本の背に綴じられる綴じ代が連接されている請求項１記載のコンパクトディスク収納体。
【請求項７】
前記係止片がコンパクトディスクの中央孔に挿入され、このコンパクトディスクを挟むように一対の半部を折り畳み重ね合わせた状態で、前記一対の半部の一方或いは他方には、前記係止片の外側でコンパクトディスクの一部を露出させる窓が形成されている請求項１記載のコンパクトディスク収納体。
【請求項８】
前記窓は前記係止片が形成されていない半部に設けられている請求項７記載のコンパクトディスク収納体。
【請求項９】
一枚の片体がその中間部から折り畳まれ重ね合わされる一対の半部と、
前記一対の半部の一方の半部に設けられ該半部にコンパクトディスクを係止させる係止手段と、
前記一対の半部の一方の半部或いは他方の半部に設けられた切り欠きと、
前記切り欠きが設けられた半部の前記重ね合わされる面とは反対の面に前記切り欠きを覆うように接着された粘着テープとを備え、
前記切り欠きは、前記係止手段により係止されたコンパクトディスクの外側で前記中間部とは反対側の端部寄り箇所に形成され、
前記係止手段は、前記一対の半部の一方の半部に切れ線により縁どられた二つの係止片で構成され、
各係止片は前記一方の半部に連設する基部と、基部に繋がる本体部とで構成され、
各係止片の基部は、コンパクトディスクの中央孔と同一寸法の円内で互いに対向して配置され、それぞれコンパクトディスクの中央孔の半径よりも大きく直径よりも小さい幅で形成され、
各本体部は対応する基部から互いに逆向きで前記円の半径方向外側に突出し、各本体部の少なくとも一部はコンパクトディスクの中央孔の直径よりも大きい幅で形成され、
各係止片がコンパクトディスクの中央孔に挿入された状態で、各係止片の基部がコンパクトディスクの中央孔の対向する箇所に位置し、各本体部が前記切れ線により前記一方の半部に縁取られた向きと同じ向きで互いに逆向きにコンパクトディスクの中央孔近傍の表面を延在することでコンパクトディスクが前記一方の半部に保持される、
ことを特徴とするコンパクトディスク収納体。
【発明の詳細な説明】
【０００１】
【発明の属する技術分野】
本発明は、コンパクトディスク（ミニコンパクトディスクを含む）を収納するコンパクトディスク収納体に関する。
【０００２】
【従来の技術】
従来、コンパクトディスクを収納する構造として、一般に、コンパクトディスクの中央孔に係脱する突部を有する本体と、この本体に開閉可能に連結された蓋とからなるプラスチック製のケースが用いられている。
【０００３】
【発明が解決しようとする課題】
しかしながら、このようなプラスチックケースでは、大量に取り扱う際には、かさばって取り扱いが面倒になり、また、プラスチックを用いるため、コスト高となる不具合があった。
また、カタログやパンフレット等と共にコンパクトディスクを配布するような場合、カタログやパンフレットが紙であるのに対して、コンパクトディスクのケースはプラスチックであるため、コンパクトディスクの方のみが目立ってしまい、カタログやパンフレットとの一体感を出すことができない。
更に、ＣＤ本として、本の表紙や本文頁にコンパクトディスクを添付するような場合、プラスチックケースでは本がかさばる他、プラスチックは紙に比べて比重も大きく、そのため、本の重量が増し、大量に取り扱う際には、簡単に取り扱うことができない不具合もあった。
【０００４】
本発明は前記事情に鑑み案出されたもので、本発明の目的は、かさばることなく安価にコンパクトディスクを収納でき、カタログやパンフレット等と共に一体感を持たせてコンパクトディスクを配布でき、コンパクトディスクを本に添付する場合であっても重量増を抑え、大量に扱う場合であっても簡単に取り扱うことができるコンパクトディスク収納体を提供することにある。
【０００５】
【課題を解決するための手段】
前記目的を達成するため、本発明は、一枚の片体がその中間部から折り畳まれ重ね合わされる一対の半部と、前記一対の半部の一方の半部に切れ線により縁どられた二つの係止片とを備え、各係止片は前記一方の半部に連設する基部と、基部に繋がる本体部とで構成され、各係止片の基部は、コンパクトディスクの中央孔と同一寸法の円内で互いに対向して配置され、それぞれコンパクトディスクの半径よりも大きく中央孔の直径よりも小さい幅で形成され、各本体部は対応する基部から互いに逆向きで前記円の半径方向外側に突出し、各本体部の少なくとも一部はコンパクトディスクの中央孔の直径よりも大きい幅で形成され、各係止片をコンパクトディスクの中央孔に挿入し、一対の半部を折り畳み重ね合わせた状態で、各半部はコンパクトディスクを覆う輪郭でそれぞれ形成され、各係止片がコンパクトディスクの中央孔に挿入された状態で、各係止片の基部がコンパクトディスクの中央孔の対向する箇所に位置し、各本体部が前記切れ線により前記一方の半部に縁取られた向きと同じ向きで互いに逆向きにコンパクトディスクの中央孔近傍の表面を延在することでコンパクトディスクが前記一方の半部に保持されることを特徴とする。
【０００６】
また、本発明は、前記本体部を縁どる切れ線の内側空間が、指が入る程度の大きさで形成されていることを特徴とする。
また、本発明は、前記係止片がコンパクトディスクの中央孔に挿入され、このコンパクトディスクを挟むように一対の半部を折り畳み重ね合わせた状態で、前記コンパクトディスクの外側の半部箇所には、一対の半部を重ね合わせた状態に保持する保持手段が設けられていることを特徴とする。
【０００７】
また、本発明は、前記保持手段が、一対の半部のうちの一方の半部に形成された切り欠きと、前記重ね合わされる面とは反対の面に前記切り欠きを覆うように接着された粘着テープとで構成されていることを特徴とする。
また、本発明は、前記保持手段が、一対の半部のうちの一方の半部に形成された爪片と、他方の半部に形成され前記爪片が係止される係止部とで構成されていることを特徴とする。
また、本発明は、前記一対の半部の一方或いは他方には、本の背に綴じられる綴じ代が連接されていることを特徴とする。
また、本発明は、前記係止片がコンパクトディスクの中央孔に挿入され、このコンパクトディスクを挟むように一対の半部を折り畳み重ね合わせた状態で、前記一対の半部の一方或いは他方には、前記係止片の外側でコンパクトディスクの一部を露出させる窓が形成されていることを特徴とする。
また、本発明は、前記窓が、前記係止片が形成されていない半部に設けられていることを特徴とする。
【０００８】
また、本発明は、一枚の片体がその中間部から折り畳まれ重ね合わされる一対の半部と、前記一対の半部の一方の半部に設けられ該半部にコンパクトディスクを係止させる係止手段と、前記一対の半部の一方の半部或いは他方の半部に設けられた切り欠きと、前記切り欠きが設けられた半部の前記重ね合わされる面とは反対の面に前記切り欠きを覆うように接着された粘着テープとを備え、前記切り欠きは、前記係止手段により係止されたコンパクトディスクの外側で前記中間部とは反対側の端部寄り箇所に形成され、前記係止手段は、前記一対の半部の一方の半部に切れ線により縁どられた二つの係止片で構成され、各係止片は前記一方の半部に連設する基部と、基部に繋がる本体部とで構成され、各係止片の基部は、コンパクトディスクの中央孔と同一寸法の円内で互いに対向して配置され、それぞれコンパクトディスクの中央孔の半径よりも大きく直径よりも小さい幅で形成され、各本体部は対応する基部から互いに逆向きで前記円の半径方向外側に突出し、各本体部の少なくとも一部はコンパクトディスクの中央孔の直径よりも大きい幅で形成され、各係止片がコンパクトディスクの中央孔に挿入された状態で、各係止片の基部がコンパクトディスクの中央孔の対向する箇所に位置し、各本体部が前記切れ線により前記一方の半部に縁取られた向きと同じ向きで互いに逆向きにコンパクトディスクの中央孔近傍の表面を延在することでコンパクトディスクが前記一方の半部に保持されることを特徴とする。
【０００９】
本発明に係るコンパクトディスク収納体にコンパクトディスクを収納する場合には、係止片を起立させ、コンパクトディスクの中央孔に係止片を挿入し、係止片をコンパクトディスク上に折り返す。
そして、一対の半部を、コンパクトディスクを挟むように折り畳み、重ね合わせる。
コンパクトディスクを取り出す場合には、一対の半部を開き、係止片を起立させ、コンパクトディスクを半部から持ち上げる。
【００１０】
また、本発明に係る他のコンパクトディスク収納体にコンパクトディスクを収納する場合には、係止手段により半部上にコンパクトディスクを係止させ、一対の半部を、コンパクトディスクを挟むように折り畳んで重ね合わせ、切り欠き内に露出する粘着テープにより一対の半部を閉じた状態に保持する。
コンパクトディスクを取り出す場合には、一対の半部を開き、係止片を起立させ、コンパクトディスクを半部から持ち上げる。
【００１１】
【発明の実施の形態】
以下、本発明の実施例を添付図面に従って説明する。
図１は第１実施例に係るコンパクトディスク収納体の斜視図、図２はコンパクトディスク収納体を構成する片体を開いた斜視図、図３は片体の展開図を示す。
２はコンパクトディスク収納体で、コンパクトディスク収納体２は図３に示すように左右に長い長方形状の一枚の片体４から構成され、片体４には綴じ代６、右半部８、左半部１０、係止片１２、切り欠き１４、窓１６が形成されている。
前記片体４としては、厚紙、外面がコートされた厚紙、アート紙等の紙片、あるいは、プラスチックシート等を用いることができる。
前記綴じ代６は、片体４の右側部に折れ線１８を介して形成され、右半部８と左半部１０は、綴じ代６を除く残りの部分に折れ線２０を介して形成され、右半部８の幅は左半部１０よりも僅かに大きく形成されている。
前記係止片１２は右半部８の中央に形成され、前記切り欠き１４は右半部８の綴じ代６寄りの部分の上下にそれぞれ形成され、前記窓１６は左半部１０の中央の上下にそれぞれ形成されている。
【００１２】
前記係止片１２は二つ形成され、図４に拡大図で示すように、各係止片１２は右半部８に連設する基部１２０２と、基部１２０２に繋がる本体部１２０４とで構成され、係止片１２は曲線状の切れ線２２により縁どられ、切れ線２２の両端には孔２４が形成されている。
図４において符合２６で示す円は、コンパクトディスク３０の中央孔３００２の縁の輪郭を示し、各係止片１２の基部１２０２はこの円２６内に配置され、各本体部１２０４は互いに逆向きに延出され、基部１２０２の幅はコンパクトディスク３０の中央孔３００２の直径よりも小さい幅で形成され、また、前記本体部１２０４の延出方向の中間部の幅はコンパクトディスク３０の中央孔３００２の直径よりも僅かに大きい幅で形成されている。
【００１３】
図５に斜視図で示すように、各係止片１２は基部１２０２を中心として起立され、コンパクトディスク３０の中央孔３００２に挿入され、図２に示すようにコンパクトディスク３０上に折り返され、これによりコンパクトディスク３０が保持される。
係止片１２を起立させると、図５に示すように、切れ線２２の内側に空間２２０２が形成され、実施例では係止片１２を起立させ易いように、切れ線２２の内側の空間２２０２が、指が入る程度の大きさになるように形成されている。
また、図２に示すように、各係止片１２をコンパクトディスク３０の中央孔３００２に挿入し、折り返してコンパクトディスク３０を保持し、コンパクトディスク３０を左右の半部８、１０で挟むように、折れ線２０から左右の半部８、１０を折り畳んで重ね合わせた状態で、各半部８、１０はコンパクトディスク３０を覆う輪郭でそれぞれ形成されている。
これにより、コンパクトディスク３０の表面及び、記録面である裏面を左右の半部８、１０で保護するようにしている。
前記切り欠き１４は、係止片１２で保持されたコンパクトディスク３０の外側で、折れ線２０とは反対側の端部箇所に形成されている。
前記切り欠き１４は上下に長い長孔状に形成され、左半部１０に合わされる面とは反対の面に切り欠き１４を覆うように粘着テープ３２が貼着されている。
【００１４】
前記窓１６は、図１に示すように、係止片１２でコンパクトディスク３０を保持し、コンパクトディスク３０を左右の半部８、１０で挟むように、折れ線２０から左右の半部８、１０を折り畳んで重ね合わせた状態で、係止片１２の外側でコンパクトディスク３０の上下の一部を露出させるように、コンパクトディスク３０の中央の上下に扇形状に二つ形成されている。
そして上下に二つの窓１６が形成されることにより、この窓１６の間に、コンパクトディスク３０の中央部を左右に横切る帯片３４が形成され、帯片３４の中央はコンパクトディスク３０の中央孔３００２と同心で中央孔３００２よりも大きな円形部３４０２に形成されている。
【００１５】
本実施例に係るコンパクトディスク収納体２にコンパクトディスク３０を収納する場合には、まず、図６に示すように、切れ線２２内に指を挿入して係止片１２を起立させ、コンパクトディスク３０の中央孔３００２内に係止片１２を挿入し、コンパクトディスク３０を右半部８上に載せ、係止片１２をコンパクトディスク３０上に折り返す。
これによりコンパクトディスク３０は右半部８上に保持される。
【００１６】
次に、折れ線２０を境に右半部８と左半部１０を、コンパクトディスク３０を挟むように折り畳み、重ね合わせる。
これにより切り欠き１４に対応する左半部１０箇所は粘着テープ３２に接着し、粘着テープ３２により左半部１０と右半部８は閉じた状態に保持され、同時に、係止片１２は円形部３４０２によりコンパクトディスク３０上に折り返された状態に保持される。
また、窓１６にはコンパクトディスク３０の一部が露出し、コンパクトディスク収納体２に何が入っているのか、言い換えると、コンパクトディスク３０が収納されていること、及び、どのようなコンパクトディスク３０が収納されているのかが外部から視認される。
そして、綴じ代６が本文と共に表紙に取り付けられ、ＣＤ本が得られる。
【００１７】
コンパクトディスク収納体２からコンパクトディスク３０を取り出す場合には、左半部１０の綴じ代６寄り部分を持ち上げて粘着テープ３２から剥し、左右の半部８、１０を折れ線２０を境に開く。
次に、右半部８の裏から指を切れ線２２内に挿入して係止片１２を起立させ、コンパクトディスク３０を右半部８から持ち上げることにより、中央孔３００２から係止片１２が抜き出され、コンパクトディスク３０が右半部８から取り出される。或は、コンパクトディスク３０を右半部８から単に持ち上げることにより、コンパクトディスク３０が右半部８から取り出される。
【００１８】
本実施例に係るコンパクトディスク収納体２は、紙を用いて構成でき、また、プラスチックケースのようにかさばらず扁平であり、従って、コストダウンを図ると共に、大量に取り扱う場合であってもその取り扱いは簡単になされる。
また、カタログやパンフレット等と共にコンパクトディスク３０を配布するような場合でも、コンパクトディスク３０の方のみが目立ってしまう等の不具合は生ぜず、カタログやパンフレットと、コンパクトディスク３０とに一体感を持たせることが可能となる。
更に、ＣＤ本として、本の表紙や本文頁にコンパクトディスク３０を添付するような場合であっても、本文と共に背に取り付けることができ、本の重量を増し取り扱いが面倒になる不具合を解消できる。
【００１９】
次に、図７乃至図９を参照して第２実施例について説明する。
図７は第２実施例に係るコンパクトディスク収納体の斜視図、図８はコンパクトディスク収納体を構成する片体を開いた斜視図、図９は片体の展開図を示す。
第２実施例に係るコンパクトディスク収納体２Ａは、ミニコンパクトディスク３０Ａ用で、カタログやパンフレットと共にミニコンパクトディスク３０Ａを配布する際に用いるものである。
第２実施例に係るコンパクトディスク収納体２Ａは、ミニコンパクトディスク３０Ａを収納する関係上、左右の半部８Ａ、１０Ａがミニコンパクトディスク３０Ａを覆うに足る大きさで形成されていてその輪郭が小さい点、また、綴じ代６や切り欠き１４を有さない点等が第１実施例と異なっており、その他の点は第１実施例とほぼ同様である。
すなわち、コンパクトディスク収納体２Ａは、図９に示すように、左右に長い長方形状の一枚の片体４Ａから構成され、片体４Ａには、右半部８Ａ、左半部１０Ａ、係止片１２Ａ、窓１６Ａが形成されている。
【００２０】
前記右半部８Ａと左半部１０Ａは折れ線２０Ａを介して形成され、右半部８Ａと左半部１０Ａは同一の幅で形成されている。
前記係止片１２Ａは右半部８Ａの中央に形成され、各係止片１２Ａは右半部８Ａに連設する基部１２０２Ａと、基部１２０２Ａに繋がる本体部１２０４Ａとで構成され、係止片１２Ａは切れ線２２Ａにより扇形に縁どられている。
前記窓１６Ａは左半部１０Ａの下部中央に円形に形成されている。
【００２１】
各係止片１２Ａは基部１２０２Ａを中心として起立され、ミニコンパクトディスク３０Ａの中央孔３００２Ａに挿入され、図８に示すようにミニコンパクトディスク３０Ａ上に折り返され、これによりミニコンパクトディスク３０Ａが保持される。
そして、ミニコンパクトディスク３０Ａを左右の半部８Ａ、１０Ａで挟むように、折れ線２０Ａから左右の半部８Ａ、１０Ａを折り畳んで重ね合わせ、これにより係止片１２Ａが左半部１０Ａによりミニコンパクトディスク３０Ａ上に折り返された状態に保持されたＣＤ付きのパンフレット２Ａが得られる。
【００２２】
第２実施例に係るコンパクトディスク収納体２Ａによれば、プラスチックケースのようにかさばらず扁平であり、従って、コストダウンを図ると共に、大量に取り扱う場合であってもその取り扱いは簡単になされ、ミニコンパクトディスク３０Ａの方のみが目立ってしまう等の不具合は生ぜず、カタログやパンフレットと、ミニコンパクトディスク３０Ａとに一体感を持たせることが可能となる。
【００２３】
次に、図１０乃至図１２を参照して第３実施例について説明する。
図１０は第３実施例に係るコンパクトディスク収納体の斜視図、図１１はコンパクトディスク収納体を構成する片体を開いた斜視図、図１２は片体の展開図を示す。
第３実施例に係るコンパクトディスク収納体２Ｂは、第２実施例と同様にミニコンパクトディスク３０Ｂ用で、カタログやパンフレットと共にミニコンパクトディスク３０Ｂを配布する際に用いるものである。
第３実施例に係るコンパクトディスク収納体２Ｂは、第２実施例と同様に、片体４Ｂ、左右の半部８Ｂ、１０Ｂ、係止片１２Ｂ、折れ線２０Ｂ、切れ線２２Ｂを備え、第１、第２実施例と異なって窓１６を備えていない。
また、第３実施例に係るコンパクトディスク収納体２Ｂは、右半部８Ｂの右側の上下に折れ線２０Ｂ側に向かう爪片４０が切れ線４２により形成され、左半部１０Ｂの左側の上下には欠部４４が設けられ、この欠部４４の縁は前記爪片４０が係止する係止部４６に形成されている。
【００２４】
各係止片１２Ｂは起立され、ミニコンパクトディスク３０Ｂの中央孔３００２Ｂに挿入され、図１１に示すようにミニコンパクトディスク３０Ｂ上に折り返され、これによりミニコンパクトディスク３０Ｂが保持される。
そして、ミニコンパクトディスク３０Ｂを左右の半部８Ｂ、１０Ｂで挟むように、折れ線２０Ｂから左右の半部８Ｂ、１０Ｂを折り畳んで重ね合わせ、図１０に示すように、爪片４０を欠部４４内において係止部４６の上に載せ、これにより係止片１２Ｂが左半部１０Ｂによりミニコンパクトディスク３０Ｂ上に折り返された状態に保持されたＣＤ付きのパンフレット２Ｂが得られる。
【００２５】
第３実施例に係るコンパクトディスク収納体２Ｂによっても前記第２実施例と同様な効果が得られる。
更に、第３実施例では、第１実施例と同様に、爪片４０と係止部４６からなり左右の半部８Ｂ、１０Ｂを合わせた状態に保持する保持手段を設けたので、ミニコンパクトディスク３０を収納する上でより有利となる。
【００２６】
なお、実施例では係止片１２、１２Ａ、１２Ｂを二つ設けた場合について説明したが、係止片は無論一つとしてもよい。
また、係止片１２、１２Ａ、１２Ｂが形成された半部に、コンパクトディスクの記録面を保護する不織布を貼着しておく等任意である。
【００２７】
【発明の効果】
以上の説明で明らかなように本発明に係るコンパクトディスク収納体は、一枚の片体がその中間部から折り畳まれ重ね合わされる一対の半部と、前記一対の半部の一方の半部に切れ線により縁どられた二つの係止片とを備え、各係止片は前記一方の半部に連設する基部と、基部に繋がる本体部とで構成され、各係止片の基部は、コンパクトディスクの中央孔と同一寸法の円内で互いに対向して配置され、それぞれコンパクトディスクの中央孔の半径よりも大きく直径よりも小さい幅で形成され、各本体部は対応する基部から互いに逆向きで前記円の半径方向外側に突出し、各本体部の少なくとも一部はコンパクトディスクの中央孔の直径よりも大きい幅で形成され、各係止片をコンパクトディスクの中央孔に挿入し、一対の半部を折り畳み重ね合わせた状態で、各半部はコンパクトディスクを覆う輪郭でそれぞれ形成され、各係止片がコンパクトディスクの中央孔に挿入された状態で、各係止片の基部がコンパクトディスクの中央孔の対向する箇所に位置し、各本体部が前記切れ線により前記一方の半部に縁取られた向きと同じ向きで互いに逆向きにコンパクトディスクの中央孔近傍の表面を延在することでコンパクトディスクが前記一方の半部に保持される構成とした。
【００２８】
また、本発明に係る他のコンパクトディスク収納体は、一枚の片体がその中間部から折り畳まれ重ね合わされる一対の半部と、前記一対の半部の一方の半部に設けられ該半部にコンパクトディスクを係止させる係止手段と、前記一対の半部の一方の半部或いは他方の半部に設けられた切り欠きと、前記切り欠きが設けられた半部の前記重ね合わされる面とは反対の面に前記切り欠きを覆うように接着された粘着テープとを備え、前記切り欠きは、前記係止手段により係止されたコンパクトディスクの外側で前記中間部とは反対側の端部寄り箇所に形成され、前記係止手段は、前記一対の半部の一方の半部に切れ線により縁どられた二つの係止片で構成され、各係止片は前記一方の半部に連設する基部と、基部に繋がる本体部とで構成され、各係止片の基部は、コンパクトディスクの中央孔と同一寸法の円内で互いに対向して配置され、それぞれコンパクトディスクの半径よりも大きく中央孔の直径よりも小さい幅で形成され、各本体部は対応する基部から互いに逆向きで前記円の半径方向外側に突出し、各本体部の少なくとも一部はコンパクトディスクの中央孔の直径よりも大きい幅で形成され、各係止片がコンパクトディスクの中央孔に挿入された状態で、各係止片の基部がコンパクトディスクの中央孔の対向する箇所に位置し、各本体部が前記切れ線により前記一方の半部に縁取られた向きと同じ向きで互いに逆向きにコンパクトディスクの中央孔近傍の表面を延在することでコンパクトディスクが前記一方の半部に保持される構成とした。
【００２９】
そのため、かさばることなく安価にコンパクトディスクを収納でき、カタログやパンフレット等と共に一体感を持たせてコンパクトディスクを配布でき、コンパクトディスクを本に添付する場合であっても重量増を抑え、大量に扱う場合であっても簡単に取り扱うことが可能となる。
【図面の簡単な説明】
【図１】第１実施例に係るコンパクトディスク収納体の斜視図である。
【図２】第１実施例に係るコンパクトディスク収納体を構成する片体を開いた斜視図である。
【図３】第１実施例に係る片体の展開図である。
【図４】係止片部分の拡大図である。
【図５】係止片を起立させた状態の斜視図である。
【図６】係止片を起立させる説明図である。
【図７】第２実施例に係るコンパクトディスク収納体の斜視図である。
【図８】第２実施例に係るコンパクトディスク収納体を構成する片体を開いた斜視図である。
【図９】第２実施例に係る片体の展開図である。
【図１０】第３実施例に係るコンパクトディスク収納体の斜視図である。
【図１１】第３実施例に係るコンパクトディスク収納体を構成する片体を開いた斜視図である。
【図１２】第３実施例に係る片体の展開図である。
【符号の説明】
２、２Ａ、２Ｂ  コンパクトディスク収納体
４、４Ａ、４Ｂ  片体
６  綴じ代
８、８Ａ、８Ｂ  右半部
１０、１０Ａ、１０Ｂ  左半部
１２、１２Ａ、１２Ｂ  係止片
１４  切り欠き
１６  窓
１８、２０、２０Ａ、２０Ｂ  折れ線
３０  コンパクトディスク
３０Ａ、３０Ｂ  ミニコンパクトディスク
３２  粘着テープ
４０  爪片
４６  係止部
【図１】
0003658750.tif 000002
【図２】
0003658750.tif 000003
【図３】
0003658750.tif 000004
【図４】
0003658750.tif 000005
【図５】
0003658750.tif 000006
【図６】
0003658750.tif 000007
【図７】
0003658750.tif 000008
【図８】
0003658750.tif 000009
【図９】
0003658750.tif 000010
【図１０】
0003658750.tif 000011
【図１１】
0003658750.tif 000012
【図１２】
0003658750.tif 000013